(57)【要約】【課題】火災報知器が正常に運転していないときでも火災を検知し、火災管制運転を開始できるエレベータ火災検知装置、エレベータ及びエレベータの火災検知方法を提供する。【解決手段】乗客を乗せるカゴ室と、錘と、カゴ室及び錘を吊りあげるロープと、ロープを巻き上げる巻き上げ機と、カゴ室が昇降する昇降路と、乗り場側ドアと、乗り場側ドアの下方に設置されるステップ部と、ステップ部に設けられる漏水センサと、火災報知器が正常でなく、漏水センサが水を検知してＯＮとなった場合に火災が発生していると判定し、火災管制運転を開始するように制御する制御部と、を備える。【選択図】図５
2012166910.tif 000002
【特許請求の範囲】
【請求項１】
乗り場側ドアの下方に設置されるステップ部と、
前記ステップ部に設けられる漏水センサと、
前記漏水センサが水を検知したとき火災管制運転を開始するようにエレベータを制御する制御部と、
を備えるエレベータ火災検知装置。
【請求項２】
前記制御部は、
火災報知器が正常でなく、前記漏水センサが水を検知したとき火災管制運転を開始するようにエレベータを制御する請求項１記載のエレベータ火災検知装置。
【請求項３】
カゴ室と、
錘と、
前記カゴ室及び前記錘を吊りあげるロープと、
前記ロープを巻き上げる巻き上げ機と、
前記カゴ室が昇降する昇降路と、
乗り場側ドアと、
前記ステップ部に設けられる漏水センサと、
前記漏水センサが水を検知したとき火災管制運転を開始するようにエレベータを制御する制御部と、
を備えるエレベータ。
【請求項４】
前記制御部は、
火災報知器が正常でなく、前記漏水センサが水を検知したとき火災管制運転を開始するようにエレベータを制御する請求項３記載のエレベータ。
【請求項５】
乗り場側ドアの下方に設置されるステップ部に設けられる漏水センサによって水の有無を検知し、
前記漏水センサによって水を検知したとき火災管制運転を開始するようにエレベータを制御するエレベータの火災検知方法。
【請求項６】
火災報知器が正常でなく、前記漏水センサが水を検知したとき火災管制運転を開始するようにエレベータを制御する請求項５記載のエレベータの火災検知方法。
【発明の詳細な説明】
【技術分野】
【０００１】
本発明の実施形態は、エレベータ火災検知装置、エレベータ及びエレベータの火災検知方法に関する。
【背景技術】
【０００２】
エレベータが設置されている建物において火災が発生した場合、当該エレベータは火災管制運転を行う必要がある。ここで、火災管制運転とは、例えば火災発生時にカゴ室を安全な基準階まで移動し、その後運転を休止するという予め定められた一連の運転をさす。
【０００３】
しかし、従来のエレベータは火災が発生しているかの判定を火災報知器からの信号に頼って行っていた。従って、火災報知器が正常に動作していないと、火災が発生しているにも関わらずエレベータは通常運転を行ってしまう。
【先行技術文献】
【特許文献】
【０００４】
【特許文献１】特開２００９−２９５７６号公報
【発明の概要】
【発明が解決しようとする課題】
【０００５】
従って、本実施形態は火災報知器が正常に運転していないときでも火災を検知し、火災管制運転を開始できるエレベータ火災検知装置、エレベータ及びエレベータの火災検知方法を提供することを目的とする。
【課題を解決するための手段】
【０００６】
上記の課題を解決するために、一実施形態はカゴ室と、錘と、カゴ室及び錘を吊りあげるロープと、ロープを巻き上げる巻き上げ機と、カゴ室が昇降する昇降路と、乗り場側ドアと、ステップ部に設けられる漏水センサと、漏水センサが水を検知したとき火災管制運転を開始するようにエレベータを制御する制御部と、を備えるエレベータを提供する。
【図面の簡単な説明】
【０００７】
【図１】エレベータの側面図である。
【図２】ステップ部における漏水センサの取付位置の例を示す斜視図である。
【図３】ステップ部における漏水センサの取付位置の他の例を示す斜視図である。
【図４】エレベータ火災検知装置の構成を示すブロック図である。
【図５】エレベータ火災検知装置を備えるエレベータの動作を示すフローチャートである。
【発明を実施するための形態】
【０００８】
以下、エレベータ火災検知装置、エレベータ、及びエレベータの火災検知方法の一実施形態について、図面を用いて詳細に説明する。
【０００９】
本実施形態のエレベータの一実施形態はカゴ室と、錘と、カゴ室及び錘を吊りあげるロープと、ロープを巻き上げる巻き上げ機と、カゴ室が昇降する昇降路と、乗り場側ドアと、ステップ部に設けられる漏水センサと、漏水センサが水を検知したとき火災管制運転を開始するようにエレベータを制御する制御部と、を備える。
【００１０】
図１は、本実施形態に係るエレベータ１００の側面図である。図１に示すように、エレベータ１００は、乗客を乗せるカゴ室１０１と、錘１０３と、カゴ室１０１及び錘１０３を吊りあげるロープ１０６と、ロープ１０６を巻き上げる巻き上げ機１０２と、カゴ室１０１が昇降する昇降路１１０と、乗り場側ドア１０４と、乗り場側ドア１０４の下方に設置されるステップ部１０５と、エレベータの運行を制御する制御部１０７と、ステップ部１０５に設けられる漏水センサ２０１と、を備える。
【００１１】
カゴ室１０１は、カゴ室側ドア１０１Ａと、カゴ室側ドア１０１Ａの昇降路１１０側に設置される係合装置１０１Ｂと、を備える。
【００１２】
乗り場側ドア１０４は、昇降路１１０側に係合装置１０１Ｂと係合する突起部１０４Ａを備える。
【００１３】
制御部１０７は、指示された行き先階までカゴ室１０１を昇降させる。行き先階にカゴ室１０１が到着すると、係合装置１０１Ｂと突起部１０４Ａとが係合している状態となる。この状態にてカゴ室側ドア１０１Ａが開閉すると乗り場側ドア１０４が従動して開閉する。
【００１４】
漏水センサ２０１はステップ部１０５の昇降路１１０側に設けられる。漏水センサ２０１はステップ部１０５の人の通行に支障のない部分に設けられる。漏水センサ２０１は各階のステップ部１０５それぞれ全てに設けられる。
【００１５】
漏水センサ２０１は、水を検知できれば検知方法に制限はない。漏水センサ２０１は、例えば水による通電によって水の存在を検知するセンサ、又は反射型光センサを用いることができる。
【００１６】
図２は、ステップ部１０５における漏水センサ２０１の取付位置の例を示す斜視図である。図２に示すように、ステップ部１０５はステップ部１０５の上面に溝部２０２と、溝部２０２の一端に水を流し込む流水穴２０３を有する漏水センサ２０１と、を備える。
【００１７】
溝部２０２の幅Ｗ１は３ｍｍ以上８ｍｍ以下が通行に支障がないという点で望ましい。
【００１８】
乗り場側にて発生したスプリンクラーによって放水された水又は消火活動によって放水された水は溝部２０２を伝わって漏水センサ２０１により検知される。
【００１９】
図３は、ステップ部１０５における漏水センサ２０１の取付位置の他の例を示す斜視図である。図３に示すように、ステップ部１０５はステップ部１０５の昇降路１１０側先端に一点に向かって傾斜するスロープ状の切欠き部３０１と、この切欠き部３０１の最下部に漏水センサ２０１と、を備える。
【００２０】
乗り場側にて発生したスプリンクラーによって放水された水又は消火活動によって放水された水は切欠き部３０１を伝わって漏水センサ２０１により検知される。
【００２１】
図４は、エレベータ火災検知装置の構成を示すブロック図である。図４に示すように、エレベータ１００が備えるエレベータ火災検知装置は、制御部１０７としてのＣＰＵ４０１と、記憶装置であるメモリ４０２と、火災報知器及びエレベータ１００の制御盤との通信を行うインターフェース（Ｉ／Ｆ）４０３と、を備える。
【００２２】
ＣＰＵ４０１は漏水センサ２０１の出力を入力する。ＣＰＵ４０１は巻き上げ機１０２の動作を制御する。
【００２３】
図５は、エレベータ火災検知装置を備えるエレベータ１００の動作を示すフローチャートである。図５に示すように、エレベータ１００は火災報知器が正常でなく、漏水センサ２０１が水を検知してＯＮとなった場合に火災が発生していると判定し、火災管制運転を開始する。
【００２４】
具体的には、動作５０１において、エレベータ１００は火災報知器が正常に作動しているか判定する。エレベータ１００は、例えばＩ／Ｆ４０３を介して火災報知器にコマンドを送信し、正常なコマンドが返信された場合火災報知器が正常に作動していると判定する。エレベータ１００は火災報知器が正常に作動している場合、火災報知器からの情報に従って火災管制運転を開始し、正常に作動していない場合、動作５０５に進む。
【００２５】
動作５０３においてエレベータ１００は火災管制運転を終了するかを判定する。エレベータ１００は、火災を検知したとき、火災管制運転として例えばカゴ室１０１を安全な基準階に移動しドアを開けて停止する。この一連の動作が完了したと判定した場合、エレベータ１００は火災管制運転を終了できると判定する。エレベータ１００は火災管制運転を終了する場合、動作５０４に進み、エレベータ１００の運転を休止し、火災管制運転を終了しない場合、動作５０１に戻る。
【００２６】
動作５０５において、エレベータ１００は漏水センサ２０１が水を検知することによりＯＮとなっているかを判定する。エレベータ１００は漏水センサ２０１がＯＮとなっている場合、火災が発生していると判定して動作５０２に進み火災管制運転を開始し、漏水センサ２０１がＯＮとなっていない場合、動作５０６に進み平常運転を行い、さらに動作５０１に戻る。
【００２７】
以上のべたように、本実施形態のエレベータ１００は、乗客を乗せるカゴ室１０１と、錘１０３と、カゴ室１０１及び錘１０３を吊りあげるロープ１０６と、ロープ１０６を巻き上げる巻き上げ機１０２と、カゴ室１０１が昇降する昇降路１１０と、乗り場側ドア１０４と、乗り場側ドア１０４の下方に設置されるステップ部１０５と、ステップ部１０５に設けられる漏水センサ２０１と、火災報知器が正常でなく、漏水センサ２０１が水を検知してＯＮとなった場合に火災が発生していると判定し、火災管制運転を開始するように制御する制御部１０７と、を備える。
【００２８】
従って、本実施形態によれば、火災報知器が正常に運転していないときでも火災を検知し、火災管制運転を開始できるという効果がある。
【００２９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３０】
１０１：カゴ室
１０２：巻き上げ機
１０４：乗り場側ドア
１０５：ステップ部
１０７：制御部
２０１：漏水センサ
【図１】
2012166910.tif 000003
【図２】
2012166910.tif 000004
【図３】
2012166910.tif 000005
【図４】
2012166910.tif 000006
【図５】
2012166910.tif 000007